(57)【要約】【課題】主として、コストダウンを図ることが可能な端子金具取付構造を有するスピーカー装置を提供する。【解決手段】スピーカー装置は、錦糸線及び配線の各々と電気的に接続される端子金具と、その端子金具が取り付けられる端子金具取付部を有する支持体と、を備え、端子金具は、端子金具取付部に取り付けられてなる。これにより、端子板を設けることなく、端子金具を介して錦糸線と配線との電気的な接続が可能になる。よって、端子板を設けない分だけ部品点数を削減でき、スピーカー装置のコストダウンを図ることができる。【選択図】図６
2008054008.tif 000002
【特許請求の範囲】
【請求項１】
錦糸線及び配線の各々と電気的に接続される端子金具と、
前記端子金具が取り付けられる端子金具取付部を有する支持体と、を備え、
前記端子金具は、前記端子金具取付部に取り付けられてなることを特徴とするスピーカー装置。
【請求項２】
前記端子金具取付部は前記端子金具を取り付けるための挿入孔を有することを特徴とする請求項１に記載のスピーカー装置。
【請求項３】
前記端子金具取付部は、前記挿入孔と対向する位置に設けられ、前記端子金具を固定する爪状の爪部を備えると共に、前記端子金具は前記爪部と嵌合する嵌合孔を備え、
前記端子金具の一部は前記挿入孔に挿入され、前記爪部は前記嵌合孔に嵌合されてなることを特徴とする請求項２に記載のスピーカー装置。
【請求項４】
前記爪部の両側には、前記端子金具取付部の一部を切り欠いてなる切り欠き部が設けられ、前記爪部は、弾性を有する長さに形成されていることを特徴とする請求項３に記載のスピーカー装置。
【請求項５】
前記爪部は、前記挿入孔の一端側を大きくさせる方向に撓むことが可能な長さに形成されていることを特徴とする請求項４に記載のスピーカー装置。
【請求項６】
前記端子金具取付部は、前記爪部を包囲する形状及び凹形状を有し、一定量の接着剤が充填される接着剤溜まり部を備え、
前記接着剤溜まり部内に位置する前記端子金具の部分は露出しており、
当該端子金具の部分は、前記接着剤溜まり部内に充填された接着剤を介して前記端子金具取付部に固定されていることを特徴とする請求項３乃至５のいずれか一項に記載のスピーカー装置。
【請求項７】
前記支持体は、外周部と、前記外周部の内側に設けられた内周部と、前記外周部と前記内周部とを連結するアーム部と、を有し、
前記端子金具取付部は、前記内周部に設けられていることを特徴とする請求項１に記載のスピーカー装置。
【請求項８】
前記支持体は樹脂材料により形成されていることを特徴とする請求項１に記載のスピーカー装置。
【発明の詳細な説明】
【技術分野】
【０００１】
本発明は、スピーカー装置における端子金具の取付構造に関する。
【背景技術】
【０００２】
従来より、スピーカー装置において、ボイスコイルのリード線と電気的に接続された錦糸線と、コネクタ端子から引き出された配線との電気的な接続は、端子板の端子金具を通じて行われるのが一般的であり、かかる端子金具はフレーム等に取り付けられた端子板にハトメなどの固定方法にて取り付けられている。
【０００３】
例えば、この種の端子金具取付構造を有するスピーカー装置として、コネクターと結線されるコードを有するターミナルが樹脂製フレームに取り付けられてなる防水型スピーカー装置が知られている（例えば、特許文献１を参照）。
【０００４】
また、その他にも、錦糸線と接続される端子がフレームと一体構造をなすコネクタ部に固定されてなるスピーカー装置が特許文献２に、また、導電性端子とターミナルを一体構成し、そのターミナルを樹脂フレームに固着してなるスピーカー装置が特許文献３に夫々記載されている。ここで、特許文献３に記載のスピーカー装置では、導電性端子の一端が導電性錦糸線と半田付けにて固定されていると共に、その他端がコネクタの結合端子と接触させて半田付け固定されている。
【０００５】
なお、特許文献４には、フレームに支持されリード線を介してボイスコイルに接続される端子部を有し、その端子部は、音声電流を入力するためのケーブルのコネクタと接続されてなる車載用スピーカー装置が記載されている。
【０００６】
【特許文献１】特開平９−８４１６６号公報
【特許文献２】特開平８−７９８６６号公報
【特許文献３】特開平９−１３０８９０号公報
【特許文献４】特開平１１−３４１５７４号公報
【発明の開示】
【発明が解決しようとする課題】
【０００７】
しかしながら、上記のスピーカー装置のように、錦糸線と配線との接続のために端子板を設けると、その分だけ、スピーカー装置のコストが高くなってしまうという問題がある。
【０００８】
本発明が解決しようとする課題としては、上記のようなものが例として挙げられる。本発明は、主として、コストダウンを図ることが可能な端子金具取付構造を有するスピーカー装置を提供することを課題とする。
【課題を解決するための手段】
【０００９】
請求項１に記載の発明は、スピーカー装置であって、錦糸線及び配線の各々と電気的に接続される端子金具と、前記端子金具が取り付けられる端子金具取付部を有する支持体と、を備え、前記端子金具は、前記端子金具取付部に取り付けられてなることを特徴とする。
【発明を実施するための最良の形態】
【００１０】
本発明の１つの実施形態では、スピーカー装置は、錦糸線及び配線の各々と電気的に接続される端子金具と、前記端子金具が取り付けられる端子金具取付部を有する支持体と、を備え、前記端子金具は、前記端子金具取付部に取り付けられてなる。
【００１１】
上記のスピーカー装置は、錦糸線及び配線の各々と電気的に接続される端子金具と、端子金具が取り付けられる端子金具取付部を有する支持体と、を備えている。ここで、錦糸線はボイスコイルと電気的に接続されているのが好ましく、また、配線は、アンプ側と電気的に接続されているのが好ましい。そして、端子金具は、端子金具取付部に取り付けられてなる。これにより、端子板を設けることなく、端子金具を介して錦糸線と配線との電気的な接続が可能になる。よって、端子板を設けない分だけ部品点数を削減でき、スピーカー装置のコストダウンを図ることができる。
【００１２】
上記のスピーカー装置の一つの態様では、端子金具取付部は端子金具を取り付けるための挿入孔を有する。このため、端子金具を端子金具取付部の挿入孔に挿入することにより、端子金具を端子金具取付部に取り付けることができる。よって、端子金具取付部に対する端子金具の取付作業が容易となる。
【００１３】
上記のスピーカー装置の他の態様では、端子金具取付部は、挿入孔と対向する位置に設けられ、端子金具を固定する爪状の爪部を備えると共に、端子金具は爪部と嵌合する嵌合孔を備え、端子金具の一部は挿入孔に挿入され、爪部は嵌合孔に嵌合されてなる。これにより、端子金具を端子金具取付部に確実に固定することができ、端子金具が端子金具取付部から離脱するのを防止できる。
【００１４】
上記のスピーカー装置の他の態様では、前記爪部の両側には、前記端子金具取付部の一部を切り欠いてなる切り欠き部が設けられ、前記爪部は、弾性を有する長さに形成されている。好適な例では、前記爪部は、前記挿入孔の一端側を大きくさせる方向に撓むことが可能な長さに形成されているのが好ましい。これにより、端子金具を挿入孔へ挿入し易くすることができると共に、爪部を端子金具の嵌合孔へ嵌合させ易くすることができる。
【００１５】
上記のスピーカー装置の他の態様では、前記端子金具取付部は、前記爪部を包囲する形状及び凹形状を有し、一定量の接着剤が充填される接着剤溜まり部を備え、前記接着剤溜まり部内に位置する前記端子金具の部分は露出しており、当該端子金具の部分は、前記接着剤溜まり部内に充填された接着剤を介して前記端子金具取付部に固定されている。
【００１６】
これにより、接着剤溜まり部から接着剤がはみ出すのを防止しつつ、接着剤を通じて端子金具取付部に端子金具を確実に固定することができる。その結果、端子金具取付部に対する端子金具のガタ付き防止を実現できると共に、より一層、端子金具が端子金具取付部から離脱するのを防止できる。
【００１７】
好適な例では、前記支持体は、外周部と、前記外周部の内側に設けられた内周部と、前記外周部と前記内周部とを連結するアーム部と、を有し、前記固定部は、前記内周部に設けられているのが好ましい。また、好適な例では、支持体は樹脂材料により形成されているのが好ましい。これにより、工数を増加させることなく容易に端子金具取付部を形成することが可能となる。
【実施例】
【００１８】
以下、図面を参照して本発明の好適な実施例について説明する。
【００１９】
［スピーカー装置の構成］
図１は、本発明の実施例に係る端子金具の取付構造を有するスピーカー装置１００を、その中心軸Ｌ１を通る平面で切断したときの断面図を示す。
【００２０】
スピーカー装置１００は、図１に示すように、磁気回路３０と、振動系部材３１と、を備えている。なお、本発明では、スピーカー装置の構成及び駆動方式等は以下に述べるものに限定されるものではない。
【００２１】
まず、磁気回路３０の構成は次の通りである。
【００２２】
本磁気回路３０は、ヨーク１、マグネット２及びプレート３を有している。
【００２３】
ヨーク１は、略円柱状の形状を有するセンターポール１ａと、センターポール１ａの外周壁の下端部から外側に且つ斜め上方に延在するように形成されたフランジ部１ｂと、を有する。マグネット２は、環状の形状を有し、フランジ部１ｂ上に取り付けられている。プレート３は、環状の形状を有し、マグネット３上に取り付けられている。センターポール１ａとプレート３の間にはマグネット２の磁束が集中する磁気ギャップ３２が形成されている。
【００２４】
次に、振動系部材３１の構成は次の通りである。
【００２５】
振動系部材３１には、支持体４、ボイスコイルボビン５、ボイスコイル６、ダンパー７、振動板８、エッジ９、及びキャップ１０が含まれる。
【００２６】
支持体４は、スピーカー装置１００の様々な構成要素を支持するフレームとしての機能を有する。支持体４の下端部は、プレート３上に取り付けられている。なお、支持体４の詳細な構成は後述する。また、本例では、支持体４はスピーカー装置用のフレームとして構成されているが、本発明では、これに限定されず、支持体４は、スピーカー装置用のブラケットや、スピーカーボックスなどであっても構わない。
【００２７】
ボイスコイルボビン５は、円筒状の形状を有し、センターポール１ａの外周壁の上端部を覆う位置に配置されている。
【００２８】
ボイスコイル６は、１対のプラス及びマイナスのリード線（図示略）を有し、ボイスコイルボビン５の外周壁の下端部に巻かれている。このため、ボイスコイル６は、磁気ギャップ３２内に配置されている。ここで、プラス側のリード線はＬ（又はＲ）チャンネル信号の入力配線であり、マイナス側のリード線はグランド（ＧＮＤ：接地）信号の入力配線である。各リード線は、１対のプラス及びマイナスの錦糸線１１、即ち、１つのプラスの錦糸線１１ａ及び１つのマイナスの錦糸線１１ｂ（図６を参照）に夫々電気的に接続され、また、プラスの錦糸線１１ａ及びマイナスの錦糸線１１ｂは、１対のプラス及びマイナスの配線（コード）１６、即ち、１つのプラスの配線１６ａ及び１つのマイナスの配線１６ｂ（図６を参照）に夫々電気的に接続されている。さらに、１つのプラスの配線１６ａ及び１つのマイナスの配線１６ｂは、支持体４に設けられ、アンプ側の１対のプラス及びマイナスの出力配線に電気的に接続されるコネクタ端子４ｆ（図６等を参照）に夫々電気的に接続されている。これにより、ボイスコイル６には、コネクタ端子４ｆ、一対のプラス及びマイナスの配線１６、一対のプラス及びマイナスの錦糸線１１、及び、一対のプラス及びマイナスのリード線を介して、アンプ側から１チャンネル分の信号及び電力（以下、単に「音声電流」とも称する）が夫々入力される。
【００２９】
ダンパー７は、ボイスコイルボビン５を弾性的に支持する。ダンパー７は、環状の形状を有し、同心円状の複数の波形形状（コルゲーション）を備えて構成される。ダンパー７の内周縁部はボイスコイルボビン５の外周壁の上端部付近に取り付けられている一方、ダンパー７の外周縁部は支持体４の中央部付近に取り付けられている。
【００３０】
振動板８は、コーン状の形状をなし、入力信号に応じた音波を放射する機能を有する。振動板８の内周縁部はボイスコイルボビン５の外周壁の上端部に取り付けられている。
【００３１】
エッジ９は、環状の形状及びΩ状の断面形状を有し、振動板７で生じる不要な振動などを吸収する機能を有する。エッジ９の内周縁部は振動板８の外周縁部に取り付けられる一方、エッジ９の外周縁部は支持体４の上端部に取り付けられている。
【００３２】
キャップ１０は、ドーム形状を有し、スピーカー装置１００の内部に粉塵等の侵入を防止する機能を有する。キャップ１０は、ボイスコイルボビン５の上面側を覆う位置に取り付けられている。
【００３３】
以上の構成を有するスピーカー装置１００では、アンプ側から出力された音声電流は、上述した経路を辿ってボイスコイル６へ入力される。これにより、フレミングの左手の法則に基づき、磁気ギャップ３２内でボイスコイル６に駆動力が発生し、振動板８をスピーカー装置１００の中心を通る中心軸Ｌ１方向へ振動させる。これにより、振動板８を通じて矢印Ｙ１方向に音波が放射される。
【００３４】
次に、支持体４における端子金具７０の取付構造について説明する。
【００３５】
（支持体の構成）
まず、図２乃至図４を参照して、支持体４の構成について詳述する。
【００３６】
図２（ａ）は、図１の矢印Ｙ１方向から見た支持体４の背面側の斜視図を示す。図２（ｂ）は、図１の矢印Ｙ１方向と逆方向から見た支持体４の正面図を示す。図３（ａ）は、図２（ａ）の矢印Ｙ３方向から見た支持体４の側面図を示す。図３（ｂ）は、図２（ａ）の矢印Ｙ４方向から見た支持体４の側面図を示す。図４（ａ）は、図２（ａ）の破線領域Ｅ１に対応する部分を拡大した要部拡大斜視図であり、特に、後述する端子金具７０が取り付けられる端子金具取付部４ｄ付近を拡大して示す。図４（ｂ）は、図４（ａ）の切断線Ａ−Ａ’に沿った端子金具取付部４ｄの断面図を示す。図４（ｃ）は、支持体４の背面側から見た端子金具取付部４ｄの正面図を示す。
【００３７】
支持体４は、好適な例では樹脂材料により形成され、楕円状の平面形状を有し、振動板８を取り囲む位置に設けられる外周部４ａと、外周部４ａの内側に設けられ、磁気回路３０等を支持する内周部４ｂと、当該支持体４の周方向に適宜の間隔をおいて設けられ、外周部４ａと内周部４ｂを連結する複数のアーム部４ｃと、を備えている。なお、本例では、支持体４は楕円状の平面形状を有するが、支持体４の平面形状はこれに限定されるものではない。
【００３８】
外周部４ａは、略環状の形状及び枠状の形状を有し、振動板８と連結されたエッジ９の外周部を支持する役割を有する。外周部４ａには、上述したコネクタ端子４ｆが設けられている。
【００３９】
内周部４ｂは、略環状の形状を有し、支持体４の短径方向に且つ外周部４ａ側へ張り出すように設けられた張り出し部４ｘを備えている。振動板８と逆側に位置する張り出し部４ｘ上には、１対の端子金具７０が夫々取り付けられる１対の端子金具取付部４ｄと、各端子金具取付部４ｄの近傍位置に設けられ、スリット形状を有し、各錦糸線１１の一部が挿通されるスリット部４ｇと、各スリット部４ｇ及び各端子金具取付部４ｄの近傍位置に設けられ、凹形状を有し、ボイスコイル６と逆側に位置する錦糸線１１の他端側付近を挟持した状態で固定する錦糸線固定部４ｅと、を備える。
【００４０】
１対の端子金具取付部４ｄにおいて、一方の端子金具取付部４ｄと、他方の端子金具取付部４ｄとは、張り出し部４ｘの中心を通る直線Ｌ３に対して対称的な形状を有する。各端子金具取付部４ｄは、振動板８と逆側に突出する爪状の形状を有し、各端子金具を固定するための爪部４１と、爪部４１を包囲する形状及び凹形状を有し、一定量の接着剤が充填される接着剤溜まり部４２と、接着剤溜まり部４２内において、爪部４１の両側に設けられた切り欠き部４３と、爪部４１と接着剤溜まり部４２の間に設けられ、スリット形状を有し、端子金具７０が挿入される挿入孔４４と、を備える。
【００４１】
各爪部４１は、弾性を有する長さｄ３、具体的には、図４（ｂ）の破線で示すように、挿入孔４４の一端側｛図４（ｂ）の上端側に相当｝を大きくさせる矢印Ｙ５方向に撓むことが可能な長さｄ３に形成されている。即ち、図４（ｂ）において、初期状態では各爪部４１の一端側（上端側）付近と対向する挿入孔４４の一端側（上端側）の幅はｄ１であるが、各爪部４１は、後述する端子金具７０が挿入孔４４に挿入されて当該各爪部４１の一端側（上端側）が矢印Ｙ５方向に撓んだ場合に挿入孔４４の一端側（上端側）の幅がｄ２（＞ｄ１）となることが可能な長さｄ３に形成されている。
【００４２】
接着剤溜まり部４２は、爪部４１の下端側付近に設けられ、凹形状を有する第１の接着剤溜り部４５と、爪部４１の上端側に設けられ、凹形状を有する第２の接着剤溜り部４６を備える。
【００４３】
（端子金具の構成）
次に、図５を参照して、端子金具取付部４ｄに取り付けられる端子金具７０の構成について説明する。
【００４４】
端子金具７０は、Ｌ字状の形状を有し、端子金具取付部４ｄの挿入孔４４に挿入され、配線１６が接続される配線接続部７１と、配線接続部７１の端部から略直角に折れ曲がるように設けられ、錦糸線１１が接続される錦糸線接続部７２と、を有する。
【００４５】
配線接続部７１の一端側には、スリット形状を有し、配線１６を狭持するための配線狭持部７１ａが設けられている。配線接続部７１の略中央位置には、端子金具取付部４ｄの爪部４１の一端側（上端側）と嵌合する嵌合孔７１ｂが設けられている。一方、錦糸線接続部７２の一端側には、スリット形状を有し、錦糸線１１を狭持するための錦糸線狭持部７２ａが設けられている。
【００４６】
（支持体における端子金具の取付構造）
次に、図６を参照して、支持体４における端子金具７０の取付構造について説明する。
【００４７】
図６（ａ）は、端子金具７０が端子金具取付部４ｄに取り付けられた状態を示すスピーカー装置１００の背面図を示す。図６（ｂ）は、図６（ａ）の破線領域Ｅ２付近を拡大して示すスピーカー装置１００の要部拡大斜視図であり、特に、端子金具７０が端子金具取付部４ｄに取り付けられた状態を示す。図６（ｃ）は、図６（ｂ）の切断線Ｂ−Ｂ’に沿った端子金具取付部４ｄ等の要部断面図であり、特に、端子金具取付部４ｄに対する端子金具７０の取付方法を示す。
【００４８】
まず、図６（ｃ）を参照して、端子金具７０の端子金具取付部４ｄへの取付方法について説明する。
【００４９】
端子金具７０を端子金具取付部４ｄへ取り付けるためには、まず、図６（ｃ）の矢印Ｙ６に示すように、振動板８側から当該振動板８の逆側にかけて、端子金具７０の配線接続部７１を、端子金具取付部４ｄの挿入孔４４にスライドさせつつ挿入する。さらに、その状態から端子金具７０の配線接続部７１を振動板８と逆側へ押し込むと、爪部４１の弾性力及び爪部４１と配線接続部７１との相互作用により、当該爪部４１が挿入孔４４の一端側（上端側）を大きくさせる方向｛図４（ｂ）の矢印Ｙ５方向｝に撓み、さらに爪部４１が初期の位置に戻りつつ嵌合孔７１ｂに嵌合する。これにより、端子金具７０が端子金具取付部４ｄへ取り付けられる。その取り付けられた状態が図６（ａ）乃至図６（ｃ）に示されている。
【００５０】
かかる状態において、端子金具７０の配線接続部７１は、振動板８と逆側から端子金具取付部４ｄの挿入孔４４に挿入され、端子金具取付部４ｄの爪部４１の一端側（上端側）が、端子金具７０の嵌合孔４１ｂに嵌合している。そして、さらに、端子金具取付部４ｄの接着剤溜まり部４２内において、爪部４１の両側に設けられた切り欠き部４３に位置する端子金具７０の部分は露出しており、当該端子金具７０の部分、即ち、配線接続部７１の一部及び錦糸線接続部７２の一部は、第１の接着剤溜り部４５内に充填された接着剤（図示略）を介して端子金具取付部４ｄに固定されている。また、爪部４１の一端側（上端側）に且つ配線１６と接続される側に位置する端子金具７０の他の部分、即ち、配線接続部７１の他の一部は、第２の接着剤溜り部４６内において露出しており、当該端子金具７０の他の部分は、第２の接着剤溜り部４６内に充填された接着剤（図示略）を介して端子金具取付部４ｄに固定されている。
【００５１】
また、配線接続部７１の一端側に設けられた配線狭持部７１ａには配線１６の一端側が狭持されており、配線狭持部７１ａと配線１６との接続部分には半田付けがなされ（図示略）、その両者は電気的に接続されている。一方、錦糸線１１の他端側は、振動板８側から振動板８と逆側へ導出するようにスリット部４ｇに挿通され、さらに外周部４ａ側に折り曲げられた状態で錦糸線固定部４ｅに狭持され、さらに錦糸線狭持部７２ａに狭持されている。そして、錦糸線狭持部７２ａと錦糸線１１との接続部分には半田付けがなされ（図示略）、その両者は電気的に接続されている。こうして、錦糸線１１と配線１６とは端子金具７０を介して電気的に接続されている。
【００５２】
なお、配線１６は、振動板８と逆側に位置する支持体４の内周部４ｂの外縁に沿ってコネクタ端子４ｆまで引き回され、当該コネクタ端子４ｆに電気的に接続されている。
【００５３】
次に、比較例と比較した、本発明の実施例に係る支持体４における端子金具の取付構造に関する有利な点について述べる。
【００５４】
まず、図７を参照して、比較例に係るスピーカー装置５０における端子金具の取付構造について説明する。図７は、比較例に係る端子金具の取付構造を示すスピーカー装置５０の要部拡大斜視図である。なお、以下では、本実施例と同一の要素については同一の符号を付し、その説明は省略する。
【００５５】
比較例に係るスピーカー装置５０は、支持体４にハトメ１９を通じて取り付けられる端子板１７と、端子板１７に取り付けられた一対のプラス及びマイナスの端子金具１８と、を有する。一対のプラス及びマイナスの錦糸線１１の各一端側は、対応する各端子金具１８に夫々電気的に接続されていると共に、一対のプラス及びマイナスの錦糸線１１の各他端側は、図示を省略するが、ボイスコイル６の一対のプラス及びマイナスのリード線に夫々電気的に接続されている。一方、アンプ側の出力配線と電気的に接続されるコネクタ端子４ｆ（図示略）から引き出された一対のプラス及びマイナスの配線１６の各一端側は、対応する各端子金具１８に夫々電気的に接続されている。
【００５６】
かかる構造を有する比較例では、錦糸線１１と配線１６との接続のために別部材たる端子板１７を設けているので、その分だけ、スピーカー装置５０のコストが高くなってしまうという問題がある。
【００５７】
この点、本発明の実施例に係るスピーカー装置１００は、錦糸線１１及び配線１６の各々と電気的に接続される端子金具７０と、その端子金具７０が取り付けられる端子金具取付部４ｄを有する支持体４と、を備え、端子金具７０は、端子金具取付部４ｄに取り付けられてなる。これにより、端子板１７を設けることなく、端子金具７０を介して錦糸線１１と配線１６との電気的な接続が可能になる。よって、比較例と比べ、端子板１７を設けない分だけ部品点数を削減でき、スピーカー装置１００のコストダウンを図ることができる。
【００５８】
また、端子金具取付部４ｄは端子金具７０を取り付けるための挿入孔４４を有する。このため、端子金具７０を端子金具取付部４ｄの挿入孔４４に挿入することにより、端子金具７０を端子金具取付部４ｄに取り付けることができる。よって、端子金具取付部４ｄに対する端子金具７０の取付作業が容易となる。
【００５９】
また、端子金具取付部４ｄは、挿入孔４４と対向する位置に設けられ、端子金具７０を固定する爪状の爪部４１を備えると共に、端子金具７０は爪部４１と嵌合する嵌合孔４１ｂを備え、端子金具７０の一部、即ち配線接続部７１の一部は挿入孔４４に挿入され、爪部４１は嵌合孔４１ｂに嵌合されてなる。これにより、端子金具７０を端子金具取付部４ｄに確実に固定することができ、端子金具７０が端子金具取付部４ｄから離脱するのを防止できる。
【００６０】
また、爪部４１の両側には、端子金具取付部４ｄの一部を切り欠いてなる切り欠き部４３が設けられ、爪部４１は、弾性を有する長さｄ３、具体的には、図４（ｂ）の破線で示すように、挿入孔４４の一端側｛図４（ｂ）の上端側に相当｝を大きくさせる矢印Ｙ５方向に撓むことが可能な長さｄ３に形成されている。これにより、端子金具７０を挿入孔４４へ挿入し易くすることができると共に、爪部４１を端子金具７０の嵌合孔４１ｂへ嵌合させ易くすることができる。
【００６１】
また、端子金具取付部４ｄは、爪部４１を包囲する形状及び凹形状を有し、一定量の接着剤が充填される接着剤溜まり部４２を備え、接着剤溜まり部４２（即ち、第１の接着剤溜り部４５及び第２の接着剤溜り部４６）内に位置する端子金具７０の部分は露出しており、当該端子金具７０の部分は、当該接着剤溜まり部４２内に充填された接着剤（図示略）を介して端子金具取付部４ｄに固定されている。
【００６２】
これにより、接着剤溜まり部４２（即ち、第１の接着剤溜り部４５及び第２の接着剤溜り部４６）から接着剤がはみ出すのを防止しつつ、接着剤を通じて端子金具取付部４ｄに端子金具７０を確実に固定することができる。その結果、端子金具取付部４ｄに対する端子金具７０のガタ付き防止を実現できると共に、より一層、端子金具７０が端子金具取付部４ｄから離脱するのを防止できる。
【００６３】
好適な例では、支持体４は樹脂材料により形成されているのが好ましい。これにより、工数を増加させることなく容易に端子金具取付部４ｄを形成することが可能となる。
【図面の簡単な説明】
【００６４】
【図１】本発明の実施例に係る端子金具の取付構造を有するスピーカー装置の断面図を示す。
【図２】本発明の実施例に係る支持体の背面図及び正面図を示す。
【図３】本発明の実施例に係る支持体の各種側面図を示す。
【図４】支持体に設けられた端子金具取付部の要部拡大斜視図、正面図及び断面図を示す。
【図５】本実施例の端子金具取付部に取り付けられる端子金具の斜視図を示す。
【図６】本実施例の端子金具取付部に端子金具を取り付けた状態を示すスピーカー装置の背面図及び要部拡大斜視図等を示す。
【図７】比較例に係る端子金具の取付構造を有するスピーカー装置の要部拡大斜視図を示す。
【符号の説明】
【００６５】
４  支持体
４ｂ  内周部
４ｄ  端子金具取付部
４ｆ  コネクタ端子
１１  錦糸線
１６  配線
４１  爪部
４２  接着剤溜まり部
４３  切り欠き部
４４  挿入孔
４５  第１の接着剤溜り部
４６  第２の接着剤溜り部
７０  端子金具
７１  配線接続部
７１ａ  配線狭持部
７１ｂ  嵌合孔
７２  錦糸線接続部
７２ａ  錦糸線狭持部
１００  スピーカー装置
【図１】
2008054008.tif 000003
【図２】
2008054008.tif 000004
【図３】
2008054008.tif 000005
【図４】
2008054008.tif 000006
【図５】
2008054008.tif 000007
【図６】
2008054008.tif 000008
【図７】
2008054008.tif 000009